(57)【要約】【課題】  オイルの流れ抵抗を軽減して、波形形状の濾過材を確実に保持することのできるオイルストレーナの提供。【解決手段】  流出口１６を有するアッパボディ１５と、流入口１４を有するロアボディ１３と、該両ボディ間に配されるフィルタープレート１を備えるオイルストレーナにおいて、フィルタープレートは、中央部がくり貫かれた基枠２と、波形形状に成形された濾過材３と、該濾過材をロアボディ側に突出させてその波形両端面を含め基枠の内周縁に液密状態をもって保持する合成樹脂製の保持部４とから成り、当該合成樹脂製の保持部は、濾過材の波形一端面側では、連続する波形形状間に画成させるダーティサイドＳ１の空間を開放してクリーンサイドＳ２の空間を閉塞し、濾過材の波形他端面側では、連続する波形形状間に画成されるダーティサイドとクリーンサイドの各空間を共に閉塞している。【選択図】        図８
2005186070.tif 000002
【特許請求の範囲】
【請求項１】
流出口を有するアッパボディと、流入口を有するロアボディと、該両ボディ間に配されるフィルタープレートを備えるオイルストレーナにおいて、上記フィルタープレートは、中央部がくり貫かれた金属板製の基枠と、連続する波形形状に成形された濾過材と、該濾過材を上記ロアボディ側に突出させてその波形両端面を含め基枠の内周縁に液密状態をもって保持する合成樹脂製の保持部とから成り、当該合成樹脂製の保持部は、濾過材の波形一端面側では、連続する波形形状間に画成させるダーティサイドの空間を開放してクリーンサイドの空間を閉塞し、濾過材の波形他端面側では、連続する波形形状間に画成されるダーティサイドとクリーンサイドの各空間を共に閉塞していることを特徴とするオイルストレーナ。
【請求項２】
ロアボディの流入口寄りでは、保持部のリブで、濾過材の連続する波形形状間に画成されるダーティサイドの空間を開放してクリーンサイドの空間を閉塞していることを特徴とする請求項１記載のオイルストレーナ。
【請求項３】
アッパボディの流出口寄りでは、保持部のリブで、濾過材の連続する波形形状間に画成されるダーティサイドの空間を閉塞してクリーンサイドの空間を開放していることを特徴とする請求項１記載のオイルストレーナ。
【請求項４】
流出口を有するアッパボディと、流入口を有するロアボディと、該両ボディ間に配されるフィルタープレートを備えるオイルストレーナにおいて、上記フィルタープレートは、中央部がくり貫かれた金属板製の基枠と、連続する波形形状に成形された濾過材と、該濾過材を上記アッパーボディ側に突出させてその波形両端面を含め基枠の内周縁に液密状態をもって保持する合成樹脂製の保持部とから成り、当該合成樹脂製の保持部は、濾過材の波形一端面側では、連続する波形形状間に画成されるダーティサイドとクリーンサイドの各空間を共に閉塞し、濾過材の波形他端面側では、連続する波形形状間に画成させるダーティサイドの空間を閉塞してクリーンサイドの空間を開放していることを特徴とするオイルストレーナ。
【発明の詳細な説明】
【技術分野】
【０００１】
本発明は、主として、自動車の変速機に使用されるオイルストレーナに関するものである。
【背景技術】
【０００２】
従来のこの種オイルストレーナは、具体的には図示しないが、流出口を有して変速機のコントロールバルブ側に配置されるアッパボディと、流入口を有してオイルパン側に配置されるロアボディと、当該両ボディ間に配されるフィルタープレートを備えるものである（例えば、特許文献１参照）が、フィルタープレートに設けられる濾過材に平面形状のものを使用している関係で、自ずと、濾過面積が少なくて、濾過材が詰まり易いと言う大きな問題点を有していた。
【０００３】
そこで、斯かる問題点に鑑み、二つの改良型のオイルストレーナが提案されている。この改良型の内、前者のオイルストレーナ（例えば、特許文献２参照）は、濾過材を連続する波形形状となして、当該濾過材の周縁をロアボディ側にインサートする構成となっており、後者のオイルストレーナ（例えば、特許文献３参照）は、濾過材を連続する波形形状となして、当該濾過材の周縁をアッパボディとロアボディの波形形状が付与された各フランジ部間で挾持する構成となっている。
【特許文献１】特開平２−２７７５１３号公報
【特許文献２】特開平６−７１１１７号公報
【特許文献３】実公平６−４６４８６号公報
【発明の開示】
【発明が解決しようとする課題】
【０００４】
従って、これら改良型オイルストレーナの下では、連続する波形形状の濾過材を使用する関係で、先に説明した従来のものと比較すると、濾過面積を拡大できる利点を有することとなるが、前者のものにあっては、単に、波形形状の濾過材の周縁をロアボディ側にインサートするだけであるから、濾過材の保持強度が不足して、オイルの粘度が増大する低温時においては、濾過材がオイルの通過抵抗で撓んでしまい、一方、濾過材全体の波形形状を保形する押え部材を追加すると、当該押え部材の存在により、オイルの流れが阻害される恐れを十分に有していた。
【０００５】
又、後者のものにあっては、両ボディのフランジ部に付与された波形形状により、濾過材全体の保形効果が得られることとなるので、オイルの流れを阻害する押え部材は不要となるが、反面、濾過材を両ボディのフランジ部間で挾持するだけであるから、今度は、濾過材の保持強度に劣る恐れを有することとなる。
【課題を解決するための手段】
【０００６】
本発明は、斯かる従来及び改良型のオイルストレーナが抱える課題を有効に解決するために開発されたもので、請求項１記載の発明は、流出口を有するアッパボディと、流入口を有するロアボディと、該両ボディ間に配されるフィルタープレートを備えるオイルストレーナにおいて、上記フィルタープレートは、中央部がくり貫かれた金属板製の基枠と、連続する波形形状に成形された濾過材と、該濾過材を上記ロアボディ側に突出させてその波形両端面を含め基枠の内周縁に液密状態をもって保持する合成樹脂製の保持部とから成り、当該合成樹脂製の保持部は、濾過材の波形一端面側では、連続する波形形状間に画成させるダーティサイドの空間を開放してクリーンサイドの空間を閉塞し、濾過材の波形他端面側では、連続する波形形状間に画成されるダーティサイドとクリーンサイドの各空間を共に閉塞している構成を採用した。
【０００７】
請求項２記載の発明は、請求項１を前提として、ロアボディの流入口寄りでは、保持部のリブで、濾過材の連続する波形形状間に画成されるダーティサイドの空間を開放してクリーンサイドの空間を閉塞している構成を採用した。
【０００８】
請求項３記載の発明は、請求項１を前提として、アッパボディの流出口寄りでは、保持部のリブで、濾過材の連続する波形形状間に画成されるダーティサイドの空間を閉塞してクリーンサイドの空間を開放している構成を採用した。
【０００９】
請求項４記載の発明は、流出口を有するアッパボディと、流入口を有するロアボディと、該両ボディ間に配されるフィルタープレートを備えるオイルストレーナにおいて、上記フィルタープレートは、中央部がくり貫かれた金属板製の基枠と、連続する波形形状に成形された濾過材と、該濾過材を上記アッパーボディ側に突出させてその波形両端面を含め基枠の内周縁に液密状態をもって保持する合成樹脂製の保持部とから成り、当該合成樹脂製の保持部は、濾過材の波形一端面側では、連続する波形形状間に画成されるダーティサイドとクリーンサイドの各空間を共に閉塞し、濾過材の波形他端面側では、連続する波形形状間に画成させるダーティサイドの空間を閉塞してクリーンサイドの空間を開放している構成を採用した。
【発明の効果】
【００１０】
依って、請求項１や請求項４記載の発明によれば、波形形状に成形された濾過材の使用により、濾過面積を拡大できることは勿論であるが、これに加えて、合成樹脂製の保持部により、波形形状の濾過材を確実に保形して基枠の内周縁側に液密状態をもって強固に保持できると共に、特に、上記保持部による濾過材の波形両端面の保持に関しては、どちらかの波形端面において、連続する波形形状間に画成されるダーティサイド又はクリーンサイドの一方の空間を閉塞し他方の空間を開放しているので、これによっても、オイルの流れ抵抗を効果的に軽減できる。
【００１１】
請求項２記載の発明によれば、ロアボディの流入口寄りでは、保持部のリブで、濾過材の連続する波形形状間に画成されるダーティサイドの空間を開放してクリーンサイドの空間を閉塞しているので、流入口近傍のオイル流れが促進され、逆に、請求項３記載の発明によれば、アッパボディの流出口寄りでは、保持部のリブで、濾過材の連続する波形形状間に画成されるダーティサイドの空間を閉塞してクリーンサイドの空間を開放しているので、流出口近傍のオイル流れが促進できる。
【実施例１】
【００１２】
以下、本発明を図示する各好適な実施例に基づいて詳述する。
第一実施例に係るオイルストレーナも、基本的には、流出口を有するアッパボディと、流入口を有するロアボディと、当該両ボディ間に配されるフィルタープレートを備えるものであるが、特徴とするところは、アッパボディに独立した部品を使用せずに、変速機のコントーロールバルブ自体をアッパボディとして兼用することに立脚し、図１に示す如く、フィルタープレート１を下記のように構成して、当該フィルタープレート１を金属製のロアボディ１３側にカシメにより固着する点にある。
【００１３】
これを詳しく説明すると、上記フィルタープレート１は、中央部が所望形態にくり貫かれた鉄等の金属板製の基枠２と、連続する波形形状に成形されたメッシュ状の濾過材３と、濾過材３全体を上記ロアボディ１３側に突出させてその波形両端面を含め基枠２の内周縁に液密状態をもって保持する合成樹脂製の保持部４とから成り、基枠２の内周縁と濾過材３の周縁間に合成樹脂材料を注入して硬化させることにより、基枠２と濾過材３とを当該硬化した合成樹脂製の保持部４を介して一体化する構成となっている。
【００１４】
尚、この合成樹脂製の保持部４は、ロアボディ１３側に垂下して濾過材３の対向する波形両端面を保持する２個の端壁５・６に加えて、濾過材３の折線方向と平行する１本の平行リブ７及び１本の補強桟８と、濾過材３の折線方向と直交する３本の直交リブ９・１０・１１を有して、当該各リブ７・９・１０・１１で、濾過材３の中間部をも保持できる構成となっているが、ロアボディ１３の流入口１４側の端壁５では、図２に示す如く、濾過材３の連続する波形形状間に画成されるダーティサイドＳ１（ロアボディ１３側）のＶ字空間を開放してクリーンサイドＳ２（コントロールバルブ側）のＶ字空間を閉塞することにより、濾過材３の流入口１４側の波形端面を保持し、アッパボディの流出口側の端壁６では、図３に示す如く、連続する波形形状間に画成されるダーティサイドＳ１とクリーンサイドＳ２の各Ｖ字空間を共に閉塞することにより、濾過材３の流入口側の波形端面を両サイドから保持する構成となっている。
【００１５】
又、上記流入口１４寄りの第１直交リブ９と中央の第２直交リブ１０では、図４・図５に示す如く、濾過材３の連続する波形形状間に画成されるダーティサイドＳ１のＶ字空間を開放してクリーンサイドＳ２のＶ字空間を閉塞することにより、濾過材３の対応部位を夫々保持し、流出口寄りとなる第３直交リブ１１では、図６に示す如く、逆に、連続する波形形状間に画成されるダーティサイドＳ１のＶ字空間を閉塞してクリーンサイドＳ２のＶ字空間を開放することにより、濾過材３の対応部位を保持する構成なっている。但し、平行リブ７に関しては、図７に示す如く、クリーンサイドＳ２側を閉塞する状態をもって２個の端壁５・６間を連続させるものとする。
【００１６】
従って、第一実施例の下にあっては、改良型のオイルストレーナのように、オイルの流れを阻害する押え部材を用いずとも、合成樹脂製の保持部４だけで、波形形状の濾過材３を全体に亘って確実に保形して、基枠２の内周縁側に液密状態をもって保持することが可能となる訳であるが、流出口側の波形端面の保持に関しては、両サイドＳ１・Ｓ２の各Ｖ字空間を閉塞しているので、濾過材３の保持状態が強固となり、逆に、流入口１４側の波形端面の保持に関しては、ダーティサイドＳ１のＶ字空間を開放しているので、オイルの流れ抵抗を軽減できることとなる。
【００１７】
依って、第一実施例に係るオイルストレーナにあっては、図示する如く、基枠２の外周縁をロアボディ１３のフランジ部１３ａに折り返してカシメると、フィルタープレート１自体がロアボディ１３に固着できるので、これにより、フィルタープレート１とロアボディ１３間に確実なシール性が保障できる。
【００１８】
そこで、後は、図７に示されている基枠２とロアボディ１３のフランジ部１３ａに設けられている取付孔２ａ・１３ｂを利用して、フィルタープレート１とロアボディ１３とを、図８に示す如く、凹部１５ａを有するコントロールバルブ１５側にネジ止めにより固定すれば、これにより、コントロールバルブ１５をアッパボディとして兼用した極めて薄型のオイルストレーナを設置することが可能となる。又、斯かる設置状態にあっては、平行リブ７と各直交リブ９・１０・１１の交差部に設けられている突起１２が、コントロールバルブ１５の凹部１５ａ側に存在するボルト頭１７に当接するので、例え、オイルの通過抵抗があっても、フィルタープレート１がクリーンサイドＳ２側に変形することを防止できる。尚、図中、１８はミッションケースである。
【００１９】
そこで、オイルポンプ（図示せず）を作動させれば、オイルパン（図示せず）内のオイルは、ロアボディ１３の流入口１４から内部に吸いこまれて、波形形状の濾過材３による濾過作用を得た後、コントロールバルブ１５の流出口１６へと吸いこまれることとなるが、第一実施例にあっては、図示する如く、当該流入口１４から流出口１６に向かうオイルの流線方向と濾過材３の波形形状の折線方向とが同一方向であるので、狭いスペースの下で、濾過面積を拡大しながら、オイルをその流線に沿ってスムーズに流すことが可能となると共に、これに伴い、濾過材３に過度な負担をかけることがないので、濾過材３の基枠２に対する保持強度も自ずと向上する。
【００２０】
又、ロアボディ１３の流入口１４から吸いこまれたオイルは、濾過材３の折線に沿って流れ、徐々に、当該濾過材３を通過してコントロールバルブ１５側に移行することとなるので、流入口１４の近傍では、ダーティサイドＳ１側の流量が多く、逆に、コントロールバルブ１５の流出口１６の近傍では、クリーンサイドＳ２側の流量が多くなる。
【００２１】
しかし、第一実施例にあっては、既述した如く、流入口１４側の端壁５と流入口１４寄りの第１・第２直交リブ９・１０による濾過材３に保持に関しては、全て、ダーティサイドＳ１側のＶ字空間を開放しているので、これにより、流入口１４近傍でのオイルの流れを合理的に促進でき、逆に、流出口１６寄りの第３直交リブ１１に関しては、クリーンサイドＳ２側のＶ字空間を開放しているので、これにより、流出口１６近傍でのオイルの流れを合理的に促進することが可能となって、上記したオイルの流量の変化にも十分に対応できることとなる。
【実施例２】
【００２２】
次に、第二実施例に係るオイルストレーナを説明すると、当該第二実施例も、基本的には、上記第一実施例をそのまま踏襲するものであるが、特徴とするところは、図９に示す如く、濾過材３を合成樹脂製の保持部４でアッパボディたるコントロールバルブ１５側に突出させて基枠２の内周縁に保持する構成となした点にある。
【００２３】
この為、濾過材３をコントロールバルブ１５側に突出させる第二実施例にあっては、保持部４の端壁５・６と各リブ７・９・１０・１１とをコントロールバルブ１５側に立ち上げる関係で、流入口１４側よりも流出口１６側のオイルの流れを優先する必要があるので、第一実施例とは逆に、流入口１４側の端壁５では、図１０に示す如く、濾過材３の連続する波形形状間に画成されるダーティサイドＳ１とクリーンサイドＳ２の各Ｖ字空間を共に閉塞し、流出口１６側の端壁６では、図１１に示す如く、連続する波形形状間に画成されるダーティサイドＳ１のＶ字空間を閉塞してクリーンサイドＳ２のＶ字空間を開放して、波形形状の濾過材３を保持する構成となしている。尚、第１・第２・第３直交リブ９・１０・１１では、コントロールバルブ１５側に立ち上がる以外は、第一実施例と同様な状態をもって、濾過材３の対応部位を保持することとなる。
【００２４】
依って、第二実施例の下でも、流入口１４から流出口１６に向かうオイルの流線方向と濾過材３の折線方向とが同一であるので、濾過面積を拡大しながら、オイルをその流線に沿ってスムーズに流すことが可能となると共に、第１・第２直交リブ９・１０に関しては、ダーティサイドＳ１のＶ字空間を開放してクリーンサイドＳ２のＶ字空間を閉塞し、逆に、流出口１６側の端壁６と第３直交リブ１１に関しては、ダーティサイドＳ１のＶ字空間を閉塞してクリーンサイドＳ２のＶ字空間を開放しているので、同様に、オイルの流れを合理的に促進することが可能となる。
【００２５】
尚、具体的には図示しないが、流入口１４の近傍と流出口１６の近傍におけるオイルの流量を考慮して、濾過材３の流入口１４側の波形端面保持については、コントロールバルブ１５側に立ち上がる端壁５で保持し、逆に、濾過材３の流出口１６側の波形端面保持については、ロアボディ１３側に垂下する端壁６で保持することも可能である。又、各実施例にあっては、アッパボディとしてコントロールバルブ１５を兼用したものであるが、本発明は、これに限定されるものではなく、独立したアッパボディを使用することも実施に応じ任意である。
【図面の簡単な説明】
【００２６】
【図１】本発明の第一実施例に係るオイルストレーナにおいて、フィルタープレートをロアボディに固着した状態を示す斜視図である。
【図２】図１のＡ−Ａ線端面図である。
【図３】図１のＢ−Ｂ線端面図である。
【図４】図１のＣ−Ｃ線端面図である。
【図５】図１のＤ−Ｄ線端面図である。
【図６】図１のＥ−Ｅ線端面図である。
【図７】図１のＦ−Ｆ線端面図である。
【図８】同オイルストレーナをコントロールバルブに固定した状態を示す要部断面図である。
【図９】第二実施例に係るオイルストレーナにおいて、フィルタープレートをロアボディに固着した状態を示す端面図である。
【図１０】図９のＧ−Ｇ線端面図である。
【図１１】図９のＨ−Ｈ線端面図である。
【符号の説明】
【００２７】
１      フィルタープレート
２      基枠
３      濾過材
４      保持部
５      流入口側の端壁
６      流出口側の端壁
７      平行リブ
９      第１直交リブ
１０    第２直交リブ
１１    第３直交リブ
１３    ロアボディ
１３ａ  フランジ部
１４    流入口
１５    コントロールバルブ（アッパボディ）
１５ａ  凹部
１６    流出口
Ｓ１    ダーティサイド
Ｓ２    クリーンサイド
【図１】
2005186070.tif 000003
【図２】
2005186070.tif 000004
【図３】
2005186070.tif 000005
【図４】
2005186070.tif 000006
【図５】
2005186070.tif 000007
【図６】
2005186070.tif 000008
【図７】
2005186070.tif 000009
【図８】
2005186070.tif 000010
【図９】
2005186070.tif 000011
【図１０】
2005186070.tif 000012
【図１１】
2005186070.tif 000013